(57)【要約】【課題】本体眼鏡に前掛け眼鏡を安定的に保持させ、取付角度の変更操作も安全かつ円滑に行うことができ、磁石の設置数も削減できる前掛け眼鏡を提供すること。【解決手段】左右の本体眼鏡レンズ枠６，６の最上部間を略水平に連結する連結バー３を有する本体眼鏡２の前面側に装着される前掛け眼鏡１であって、前記連結バー３に嵌着可能な断面コ字形の嵌着溝４ａを備えた取付バー４と、該取付バー４の両端にヒンジ部１３，１３を介して取付角度を変更可能に枢着された左右の前掛け眼鏡レンズ枠１０，１０とを備えている。【選択図】図１
0003116294.tif 000002
【実用新案登録請求の範囲】
【請求項１】
左右の本体眼鏡レンズ枠（６）（６）の最上部間を略水平に連結する連結バー（３）を有する本体眼鏡（２）の前面側に装着される前掛け眼鏡（１）であって、
前記連結バー（３）に嵌着可能な断面コ字形の嵌着溝（４ａ）を備えた取付バー（４）と、
該取付バー（４）の両端にヒンジ部（１３）（１３）を介して取付角度を変更可能に枢着された左右の前掛け眼鏡レンズ枠（１０）（１０）とを備えていることを特徴とする前掛け眼鏡。
【請求項２】
前記取付バー（４）は、前記連結バー（３）に対して、前記嵌着溝（４ａ）により前方又は上方から嵌着可能とされていることを特徴とする請求項１に記載の前掛け眼鏡。
【請求項３】
前記取付バー（４）は、前記連結バー（３）に前記嵌着溝（４ａ）内で吸着保持される磁石（１２）（１４）を備えていることを特徴とする請求項１又は２に記載の前掛け眼鏡。
【請求項４】
前記取付バー（４）の両端のヒンジ部（１３）（１３）は、前掛け眼鏡レンズ枠（１０）（１０）を任意の取付角度位置で保持させる手段（１５）を備えていることを特徴とする請求項１〜３のいずれかに記載の前掛け眼鏡。
【考案の詳細な説明】
【技術分野】
【０００１】
本考案は、本体眼鏡の前面に装着される近視レンズ、遠視レンズ、サングラスなどの前掛け眼鏡に関するものである。
【背景技術】
【０００２】
従来、本体眼鏡の前面に装着される前掛け眼鏡を磁石で着脱可能に保持させるようにしたものが公知である（例えば、特許文献１参照）。
【特許文献１】特開２００４−１８４４２７号公報
【考案の開示】
【考案が解決しようとする課題】
【０００３】
上記特許文献１は、本体眼鏡レンズ連結フレームに対して、補助眼鏡レンズ連結フレームを断面Ｌ字形とし、このＬ字形断面の垂直面と水平面との直交する２面に磁石を設置し、いずれか一方の面の磁石で本体眼鏡レンズ連結フレームに補助眼鏡レンズ連結フレームを吸着保持させることにより、本体眼鏡に対する補助眼鏡の取付角度を０°と９０°とに変更できるようにしている。
しかし、この構造では、本体眼鏡に対する補助眼鏡の取付角度を任意の角度に変更調節することができない。また、ヒンジを有していないため、取付角度の変更時、支持が不安定となり、離脱し易く、安定かつ円滑に角度変更操作をすることができないという問題点がある。さらに、補助眼鏡レンズ連結フレーム側のＬ字形断面の垂直面と水平面との直交した２面にそれぞれ磁石を設ける必要があり、コスト高となるという問題点もある。
【０００４】
本考案は、従来の前掛け眼鏡の上記問題点に鑑みて提案されたものであって、その目的とするところは、本体眼鏡に前掛け眼鏡を安定的に保持させ、取付角度の変更操作も安全かつ円滑に行うことができ、磁石の設置数も削減できる前掛け眼鏡を提供することにある。
【課題を解決するための手段】
【０００５】
前記目的を達成するために本考案は、左右の本体眼鏡レンズ枠の最上部間を略水平に連結する連結バーを有する本体眼鏡の前面側に装着される前掛け眼鏡であって、
前記連結バーに嵌着可能な断面コ字形の嵌着溝を備えた取付バーと、
該取付バーの両端にヒンジ部を介して取付角度を変更可能に枢着された左右の前掛け眼鏡レンズ枠とを備えていることを特徴としている。
上記構成によれば、取付バーを連結バーに断面コ字形の嵌着溝で嵌着して本体眼鏡に前掛け眼鏡を安定的に保持させることができる。そして、左右の前掛け眼鏡レンズ枠を取付バーの両端にヒンジ部を介して取付角度を変更可能に枢着してあることによって、前掛け眼鏡の取付角度を変更するとき、取付バーに対して、前掛け眼鏡レンズ枠をヒンジ部を中心として前上方へ円滑に回動させることができ、離脱するような心配はなく、安全かつ円滑に操作することができる。
【０００６】
前記取付バーは、前記連結バーに対して、前記嵌着溝により前方又は上方から嵌着可能とされていることを特徴としている。
前記取付バーは、前記連結バーに前記嵌着溝内で吸着保持される磁石を備えていることを特徴としている。
前記取付バーの両端のヒンジ部は、前掛け眼鏡レンズ枠を任意の取付角度位置で保持させる手段を備えていることを特徴としている。
【考案の効果】
【０００７】
本考案によれば、本体眼鏡に前掛け眼鏡を安定的に保持させ、取付角度の変更操作も安全かつ円滑に行うことができ、磁石の設置数も削減できる前掛け眼鏡を提供することができる。
【考案を実施するための最良の形態】
【０００８】
以下、本考案に係る前掛け眼鏡の実施の形態を図面の記載に基づいて説明する。
図１は、本考案に係る前掛け眼鏡１と本体眼鏡２との関係を分解して示す斜視図及び連結バー３と取付バー４の嵌着部分の拡大断面図であって、本体眼鏡２は、本体眼鏡レンズ５，５を装着した左右の本体眼鏡レンズ枠６，６と、これらを連結するブリッジ７及び連結バー３と、本体眼鏡レンズ枠６，６に取り付けたテンプル８，８と、鼻当て（図示省略）とを備えている。
前掛け眼鏡１は、前掛け眼鏡レンズ９，９を装着した左右の前掛け眼鏡レンズ枠１０，１０と、これらを連結するブリッジ１１及び取付バー４とを備えている。
【０００９】
前記連結バー３は、左右の本体眼鏡レンズ枠６，６の最上部間を略水平に連結するもので、左右の本体眼鏡レンズ枠６，６は、ブリッジ７と連結バー３で所定間隔だけ離隔した状態に連結されている。この左右の本体眼鏡レンズ枠６，６の間の間隔に対応する連結バー３の左右方向中央部分には、長方形板状の磁石１２が長辺方向を左右方向にして２個を若干の間隔をおいて長辺方向に１列に並べて埋設されている。上記磁石１２の埋設部分における連結バー３の左右方向中央部は、左右両端部分よりも前後方向に幅広とされている。
【００１０】
前記取付バー４は、その左右方向両端を左右の前掛け眼鏡レンズ枠１０，１０の最上部間に略水平にヒンジ部１３、１３を介して前上方に回動可能に枢着されるもので、左右の前掛け眼鏡レンズ枠１０，１０は、ブリッジ１１と取付バー４で所定間隔だけ離隔した状態に連結されている。この左右の前掛け眼鏡レンズ枠１０，１０の間の間隔に対応する取付バー４の左右方向中央部は、前記連結バー３に嵌着可能な断面コ字形の嵌着溝４ａが形成されている。この嵌着溝４ａの左右方向中央部下面側には、長方形板状の磁石１４が長辺方向を左右方向にして２個を若干の間隔をおいて長辺方向に１列に並べて埋設されている。上記磁石１４の埋設部分における取付バー４の嵌着溝４ａの左右方向中央部は、左右両端部分よりも前後方向に幅広とされている。
【００１１】
上記取付バー４は、前記連結バー３を外側から被覆するように嵌着されるもので、両者はほぼ同様な長さと形状とされている。また、磁石１４も磁石１２とほぼ同様な長さと形状とされており、その極性も上面に一方の極（例えば、Ｎ極）が、下面に他方の極（例えば、Ｓ極）が形成され、両者が上下に重なることによって、丁度、Ｎ極とＳ極とが整合して吸着保持される構成とされている。磁石１２，１４は、１個ずつ埋設してもよいが、２個を間隔をおいて埋設しておくと、前後方向及び左右方向のいずれに対しても位置ずれを少なくして、本体眼鏡２に対する前掛け眼鏡２の装着時の整合性を向上させることができる。
【００１２】
上記取付バー４の左右方向両端のヒンジ部１３，１３は、図２に示すように、取付バー４の左右方向両端に対応して、前掛け眼鏡レンズ枠１０，１０に筒体１３ａ、１３ａを溶接などで固着し、この筒体１３ａ，１３ａのねじ穴にヒンジピン１３ｂ、１３ｂをねじ込み、該ヒンジピン１３ｂ、１３ｂの先端部を取付バー４の両端のピン穴１３ｃ、１３ｃに遊嵌している。この場合、取付バー４の一端と、これに対応する一方の筒体１３ａの内側端部とには、前掛け眼鏡レンズ枠１０，１０の前上方への任意の回動角度位置で保持させる手段１５が設けられている。この手段１５は、ヒンジピン１３ｂの回りで互いに軸方向に対向して形成された円筒カム面１５ａ、１５ｂからなり、この円筒カム面１５ａ、１５ｂは、円周方向に等間隔に形成された複数の山形凹凸面を有し、取付バー４の他端のピン孔１３ｃ内に設置されたばね１５ｃによって常時噛合する方向に弾圧されている。取付バー４に対して前掛け眼鏡レンズ枠１０，１０を前上方に回動させるとき、又は、前上方から下方へ回動させるとき、前記ばね１５ｃの弾力に抗して円筒カム面１５ａ、１５ｂの山形凹凸面を乗り越えて回動し、任意の回動角度位置で位置決め保持されるものである。
【００１３】
図３は、取付バー４の左右方向両端のヒンジ部１３，１３の他の実施形態を示すもので、取付バー４の左右方向両端付近の前面には、耳片１３ｅ，１３ｅを２個ずつ突設し、この耳片１３ｅ、１３ｅの２個の間に嵌め込まれる耳片１３ｆ、１３ｆを前掛け眼鏡レンズ枠１０，１０の後面に突設し、これらをヒンジピン１３ｇ、１３ｇによって回動可能に枢着した場合を示している。この場合における前掛け眼鏡レンズ枠１０，１０の前上方への任意の回動角度位置で保持させる手段１５は、ヒンジピン１３ｇ、１３ｇを左右方向外側から２個の耳片１３ｅ，１３ｅへ挿入してそのうちの左右方向内側のもののねじ穴に緊締することによって、耳片１３ｆ、１３ｆを左右方向両側から締め付け挟持させ、取付バー４に対して前掛け眼鏡レンズ枠１０，１０を任意の回動角度位置で摩擦抵抗力により制止保持させるようにし、前掛け眼鏡レンズ枠１０，１０の角度変更時には、この回動摩擦抵抗力に打ち勝って回動させるようにしている。
【００１４】
本考案の前掛け眼鏡１の実施形態は以上からなり、次に、その動作を説明する。
本考案の前掛け眼鏡１は、取付バー４を本体眼鏡２の連結バー３に断面コ字形の嵌着溝４ａで嵌着し、磁石１２，１４で相互に吸着させているため、本体眼鏡２に前掛け眼鏡１を安定的に保持させることができる。そして、左右の前掛け眼鏡レンズ枠１０，１０を取付バー４の両端にヒンジ部１３，１３を介して取付角度変更可能に枢着してあることによって、前掛け眼鏡１の取付角度を変更するとき、取付バー４に対して、前掛け眼鏡レンズ枠１０，１０をヒンジ部１３，１３を中心として前上方へ円滑に回動させることができる。また、取付バー４は連結バー３に前記の如く安定的に保持され、この取付バー４の両端に左右の前掛け眼鏡レンズ枠１０，１０がヒンジ部１３，１３によって取付角度変更可能に枢着してあるため、左右の前掛け眼鏡レンズ枠１０，１０の取付角度変更操作時、左右の前掛け眼鏡レンズ枠１０，１０が本体眼鏡２から離脱するような心配はなく、安全かつ円滑に取付角度の変更操作をすることができる。
【００１５】
本考案の前掛け眼鏡は、以上の実施形態からなるが、本考案は、これらの実施形態にのみ制約されるものではなく、実用新案登録請求の範囲に記載した事項の範囲内で自由に変更して実施することができる。例えば、前記取付バー４は、前記連結バー３に対して、前方から嵌着可能としているが、上方から嵌着可能としてもよい。
【図面の簡単な説明】
【００１６】
【図１】本考案に係る前掛け眼鏡と本体眼鏡との関係を分解して示す斜視図及び連結バーと取付バーの嵌着部分の拡大断面図である。
【図２】図１における前掛け眼鏡レンズ枠と取付バーとのヒンジ部の構造を示す拡大斜視図である。
【図３】本考案の前掛け眼鏡レンズ枠と取付バーとのヒンジ部の別の構造を示す拡大斜視図である。
【符号の説明】
【００１７】
１    前掛け眼鏡
２    本体眼鏡
３    連結バー
４    取付バー
５    本体眼鏡レンズ
６    本体眼鏡レンズ枠
７    ブリッジ
８    テンプル
９    前掛け眼鏡レンズ
１０    前掛け眼鏡レンズ枠
１１    ブリッジ
１２    磁石
１３    ヒンジ部
１４    磁石
１５    位置決め保持手段
【図１】
0003116294.tif 000003
【図２】
0003116294.tif 000004
【図３】
0003116294.tif 000005